【手続補正書】
【提出日】平成25年2月21日(2013.2.21)
【手続補正１】
【補正対象書類名】特許請求の範囲
【補正対象項目名】全文
【補正方法】変更
【補正の内容】
【特許請求の範囲】
【請求項１】
広域ネットワークに接続されたネットワーク機器のネットワークアドレスを、前記ネットワーク機器からローカルな機器間通信によって受信する受信手段と、
前記受信手段によって受信した前記ネットワーク機器のネットワークアドレスを、前記広域ネットワークとは異なる通信経路を介して他の通信端末装置に送信する送信手段と
を備えた通信端末装置。
【請求項２】
前記他の通信端末装置は、前記広域ネットワークに接続された他のネットワーク機器との間でローカルな機器間通信を行う機能を有するものである
請求項１に記載の通信端末装置。
【請求項３】
前記ネットワーク機器は表示装置である
請求項１に記載の通信端末装置。
【請求項４】
前記広域ネットワークはインターネットであり、
前記ネットワークアドレスはＩＰアドレスである
請求項１に記載の通信端末装置。
【請求項５】
前記ネットワーク機器は、ローカルエリアネットワークを介して所定の電子機器が接続されたルータであり、
前記受信手段は、前記ルータから、このルータのＩＰアドレスに加えて、前記電子機器を特定するためのポート番号を受信し、
前記送信手段は、前記ルータのＩＰアドレスと共に前記ポート番号を前記他の通信端末装置に送信する
請求項４に記載の通信端末装置。
【請求項６】
前記電子機器は表示装置である
請求項５に記載の通信端末装置。
【請求項７】
前記広域ネットワークとは異なる通信経路は、ショートメッセージサービス（ＳＭＳ）において用いられる通信経路である
請求項１に記載の通信端末装置。
【請求項８】
広域ネットワークに接続されたネットワーク機器のネットワークアドレスを、前記広域ネットワークとは異なる通信経路を介して他の通信端末装置から受信する受信手段と、
前記受信手段が受信した前記ネットワーク機器のネットワークアドレスを、前記広域ネットワークに接続された他のネットワーク機器にローカルな機器間通信によって送信する送信手段と
を備えた通信端末装置。
【請求項９】
広域ネットワークに接続されたネットワーク機器のネットワークアドレスを、前記広域ネットワークとは異なる通信経路を介して他の通信端末装置から受信する受信手段と、
前記ネットワーク機器との間で、前記広域ネットワークを介してデータを送受信するデータ送受信手段と
を備えた通信端末装置。
【請求項１０】
通信端末装置からの問い合わせに応じ、自己のネットワークアドレスを前記通信端末装置にローカルな機器間通信によって送信する送信手段と、
前記通信端末装置から広域ネットワークとは異なる通信経路を介して他の通信端末装置に送られた前記ネットワークアドレスを前記他の通信端末装置からローカルな機器間通信によって受信した他のネットワーク機器との間で、前記広域ネットワークを介してデータを送受信するデータ送受信手段と
を備えたネットワーク機器。
【請求項１１】
通信端末装置からの問い合わせに応じ、自己のネットワークアドレスを前記通信端末装置にローカルな機器間通信によって送信する送信手段と、
前記通信端末装置から広域ネットワークとは異なる通信経路を介して送られた前記ネットワークアドレスを受信した他の通信端末装置との間で、前記広域ネットワークを介してデータを送受信するデータ送受信手段と
を備えたネットワーク機器。
【請求項１２】
他のネットワーク機器からローカルな機器間通信によって通信端末装置に送られると共に前記通信端末装置から広域ネットワークとは異なる通信経路を介して他の通信端末装置に送られた前記他のネットワーク機器のネットワークアドレスを、前記他の通信端末装置からローカルな機器間通信によって受信する受信手段と、
前記広域ネットワークを介して前記他のネットワーク機器との間でデータを送受信するデータ送受信手段と
を備えたネットワーク機器。
【請求項１３】
通信端末装置からの問い合わせに応じ、自己のＩＰアドレスとローカルエリアネットワークを介して接続された所定の電子機器を特定するためのポート番号とを前記通信端末装置にローカルな機器間通信によって送信する送信手段と、
前記通信端末装置からインターネットとは異なる通信経路を介して他の通信端末装置に送られた前記ＩＰアドレスおよび前記ポート番号を前記他の通信端末装置からローカルな機器間通信によって受信した他のネットワーク機器と前記電子機器との間のデータ送受信を、インターネットと前記ローカルエリアネットワークを介して中継する中継手段と
を備えたネットワーク機器。
【請求項１４】
前記電子機器は表示装置である
請求項１３に記載のネットワーク機器。
【請求項１５】
広域ネットワークに接続されたネットワーク機器と、
前記ネットワーク機器のネットワークアドレスを、前記ネットワーク機器からローカルな機器間通信によって受信する通信端末装置と、
前記ネットワークアドレスを、前記広域ネットワークとは異なる通信経路を介して、前記通信端末装置から受信する他の通信端末装置と、
前記広域ネットワークに接続され、前記ネットワークアドレスを前記他の通信端末装置からローカルな機器間通信によって受信し、前記ネットワーク機器との間で前記広域ネットワークを介してデータの送受信を行う他のネットワーク機器と
を備えた通信システム。
【請求項１６】
広域ネットワークに接続されたネットワーク機器と、
前記ネットワーク機器のネットワークアドレスを、前記ネットワーク機器からローカルな機器間通信によって受信する通信端末装置と、
前記ネットワークアドレスを、前記広域ネットワークとは異なる通信経路を介して、前記通信端末装置から受信し、前記ネットワーク機器との間で、前記広域ネットワークを介してデータの送受信を行う他の通信端末装置と
を備えた通信システム。
【請求項１７】
通信端末装置が、広域ネットワークに接続されたネットワーク機器のネットワークアドレスを、前記ネットワーク機器からローカルな機器間通信によって受信するとともに、このネットワークアドレスを前記広域ネットワークとは異なる通信経路を介して、他の通信端末装置に送信し、
前記他の通信端末装置が、前記通信端末装置から受信した前記ネットワークアドレスを、前記広域ネットワークに接続された他のネットワーク機器にローカルな機器間通信によって送信し、
前記ネットワーク機器および前記他のネットワーク機器の相互間において、前記広域ネットワークを介してデータを送受信する
通信方法。
【請求項１８】
通信端末装置が、広域ネットワークに接続されたネットワーク機器のネットワークアドレスを、前記ネットワーク機器からローカルな機器間通信によって受信するとともに、このネットワークアドレスを前記広域ネットワークとは異なる通信経路を介して、他の通信端末装置に送信し、
前記他の通信端末装置が、前記ネットワーク機器との間で、前記広域ネットワークを介してデータを送受信する
通信方法。
【手続補正２】
【補正対象書類名】明細書
【補正対象項目名】００１５
【補正方法】変更
【補正の内容】
【００１５】
本発明の第４のネットワーク機器は、送信手段と、中継手段とを備えている。送信手段は、通信端末装置からの問い合わせに応じ、自己のＩＰアドレスとローカルエリアネットワークを介して接続された所定の電子機器を特定するためのポート番号とを通信端末装置にローカルな機器間通信によって送信するものである。中継手段は、通信端末装置からインターネットとは異なる通信経路を介して他の通信端末装置に送られたＩＰアドレスおよびポート番号を他の通信端末装置からローカルな機器間通信によって受信した他のネットワーク機器と電子機器との間のデータ送受信を、インターネットとローカルエリアネットワークを介して中継するものである。
【手続補正３】
【補正対象書類名】明細書
【補正対象項目名】００２８
【補正方法】変更
【補正の内容】
【００２８】
【図１】本発明の第１の実施の形態に係る通信システムの一構成例を表すブロック図である。
【図２】図１に示したモバイル機器の一構成例を表すブロック図である。
【図３】図１に示した表示装置の一構成例を表すブロック図である。
【図４】図１に示した通信システムの一動作例を表すシーケンス図である。
【図５】図１に示したモバイル機器の一動作例を表すフローチャートである。
【図６】図１に示した通信システムの他の動作例を表すシーケンス図である。
【図７】本発明の第１の実施の形態の変形例に係る通信システムの動作例を表すシーケンス図である。
【図８】本発明の第１の実施の形態の他の変形例に係る通信システムの一動作例を表すシーケンス図である。
【図９】本発明の第１の実施の形態の他の変形例に係る通信システムの一動作例を表すシーケンス図である。
【図１０】本発明の第２の実施の形態に係る通信システムの一構成例を表すブロック図である。
【図１１】図１０に示した通信システムの一動作例を表すシーケンス図である。
【図１２】図１０に示した通信システムの他の動作例を表すシーケンス図である。
【図１３】本発明の第３の実施の形態に係る通信システムの一構成例を表すブロック図である。
【図１４】図１３に示したモバイル機器の一構成例を表すブロック図である。
【図１５】図１３に示した通信システムの一動作例を表すシーケンス図である。
【図１６】本発明の第１の実施の形態の他の変形例に係る通信システムの一動作例を表すシーケンス図である。
【手続補正４】
【補正対象書類名】明細書
【補正対象項目名】００３２
【補正方法】変更
【補正の内容】
【００３２】
モバイル機器１０は、携帯電話、ＰＤＡ（Personal Digital Assistant）、携帯型音楽プレーヤなどの電子機器であり、他のモバイル機器との間（この例ではモバイル１０Ａ，１０Ｂ間）で、ＳＭＳ通信手段Ｂにより情報をやり取りする機能を有するものである。ＳＭＳは、電話番号を用いて通信相手を特定することにより情報のやりとりを行うものであり、メールを受信するためにサーバに定期的にアクセスする必要があるインターネット経由の電子メールと異なり、相手先に直接、最小限の遅延でメールを送信でき、かつ届いたかどうかを送信時に確認できるものである。また、モバイル機器１０は、近くに配置された表示装置２０との間で、ローカルな機器間通信手段Ａにより情報をやり取りすることができる。ローカルな機器間通信手段Ａは、このように家庭内などで使用される比較的近距離の通信手段であり、一意的な通信経路を有するものである。ローカルな機器間通信手段Ａは、例えば、ワイヤレスＬＡＮ（Local Area Network）、Bluetooth（登録商標）、赤外線などの無線通信、ＬＡＮ、ＵＳＢ（Universal Serial Bus）などの有線通信、もしくはこれらの組み合わせにより実現される。この例では、モバイル機器１０Ａおよび表示装置２０Ａは家庭１００Ａにあり、モバイル機器１０Ａは、モバイル機器１０Ａの近くに配置された表示装置２０Ａとの間でローカルな機器間通信手段Ａによる通信が可能である。同様に、モバイル機器１０Ｂおよび表示装置２０Ｂは家庭１００Ｂにあり、モバイル機器１０Ｂは、モバイル機器１０Ｂの近くに配置された表示装置２０Ｂとの間でローカルな機器間通信手段Ａによる通信が可能となっている。
【手続補正５】
【補正対象書類名】明細書
【補正対象項目名】００７７
【補正方法】変更
【補正の内容】
【００７７】
［変形例１−１］
上記実施の形態では、モバイル機器１０Ａを用いて送受信したい写真を選択するようにしたが、これに限定されるものではない。例えば、送受信したい写真が記憶されている表示装置２０Ａの表示出力部２３に写真一覧を表示させ、その写真一覧から送受信したい写真を選択するようにしてもよい。以下、この変形例について説明する。
【手続補正６】
【補正対象書類名】明細書
【補正対象項目名】００９１
【補正方法】変更
【補正の内容】
【００９１】
最後に、表示装置２０Ａは、表示装置２０Ｂに対して写真を送信する（ステップＳ７０）。具体的には、表示装置２０Ａでは、まず制御部２９が、写真送信要求に含まれる選択写真情報に基づいて、記憶部２５に記憶された写真を検索する。そして、ネットワークインターフェース部２４が、インターネット通信手段Ｃを用いてその写真を表示装置２０Ｂに送信する。その際、表示装置２０Ａは、表示装置２０ＢのＩＰアドレスを用いて表示装置２０Ｂを特定する。表示装置２０Ｂでは、ネットワークインターフェース部２４がこの写真を受信し、制御部２９がこの受信した写真を記憶部２５に記憶する。
【手続補正７】
【補正対象書類名】明細書
【補正対象項目名】００９７
【補正方法】変更
【補正の内容】
【００９７】
次に、表示装置２０Ａは、表示装置２０Ｂに対して写真取得要求を送信する（ステップＳ８２）。具体的には、表示装置２０Ａのネットワークインターフェース部２４が、インターネット通信手段Ｃを用いて、写真取得要求を表示装置２０Ｂに送信する。その際、表示装置２０Ａは、表示装置２０ＢのＩＰアドレスを用いて表示装置２０Ｂを特定することができる。この写真取得要求には、選択写真情報と、表示装置２０Ａの自らのＩＰアドレスが含まれている。表示装置２０Ｂのネットワークインターフェース部２４は、この写真取得要求を受信する。
【手続補正８】
【補正対象書類名】明細書
【補正対象項目名】０１００
【補正方法】変更
【補正の内容】
【０１００】
＜２．第２の実施の形態＞
次に、本発明の第２の実施の形態に係る通信システムについて説明する。本実施の形態は、表示装置２０ＡがグローバルＩＰアドレスを持たず、ルータを介してインターネットに接続するものである。その他の構成は、上記第１の実施の形態（図１）と同様である。なお、上記第１の実施の形態に係る通信システムと実質的に同一の構成部分には同一の符号を付し、適宜説明を省略する。
【手続補正９】
【補正対象書類名】明細書
【補正対象項目名】０１０４
【補正方法】変更
【補正の内容】
【０１０４】
まず、モバイル機器１０Ａは、表示装置２０Ａから写真一覧を取得する（ステップＳ３１〜Ｓ３３）。これらの具体例は、ステップＳ１〜Ｓ３（図４）と同様である。
【手続補正１０】
【補正対象書類名】明細書
【補正対象項目名】０１１７
【補正方法】変更
【補正の内容】
【０１１７】
次に、モバイル機器１０Ａは、表示装置２０Ｂに対して写真送信要求を送信する（ステップＳ４９〜Ｓ５０）。その具体例は、表示装置２０ＡのＩＰアドレスに代えて、ルータ４０ＡのＩＰアドレスおよびポート番号の情報を送信する以外は、ステップＳ１９〜Ｓ２０（図６）と同様である。
【手続補正１１】
【補正対象書類名】明細書
【補正対象項目名】０１２２
【補正方法】変更
【補正の内容】
【０１２２】
＜３．第３の実施の形態＞
次に、本発明の第３の実施の形態に係る通信システムについて説明する。この通信システム３は、モバイル機器をリモコンとして用いて、例えば、家庭の表示装置を外出先から遠隔操作するものである。なお、上記第１の実施の形態に係る通信システムと実質的に同一の構成部分には同一の符号を付し、適宜説明を省略する。
【手続補正１２】
【補正対象書類名】明細書
【補正対象項目名】０１２３
【補正方法】変更
【補正の内容】
【０１２３】
［構成例］
図１３は、通信システム３の一構成例を表すものである。通信システム３はモバイル機器５０を備えている。モバイル機器５０は、モバイル機器１０と同様に、携帯電話、ＰＤ
Ａ、携帯型音楽プレーヤなどの機器であり、他のモバイル機器（この例ではモバイル機器１０Ａ）との間で、ＳＭＳ通信手段Ｂにより情報をやり取りする機能を有するものである。また、モバイル機器５０は、インターネット９と接続されており、インターネット９に接続された他のネットワーク機器（この例では表示装置２０Ａ）との間で、インターネット通信手段Ｃにより情報をやりとりする機能をも有している。